(57)【要約】【課題】  複数の機能モードを効率よく切り替えられる使い勝手の良い複合通信装置を提供する。【解決手段】  コピー、ファックス、およびスキャナモード毎に設定編集処理を行う設定編集タスク、および設定編集タスクで処理された設定編集内容にしたがってモード毎に実処理を行う実処理タスクを実行する実行部１と、モードへの移行を受け付けるコピー、ファックス、およびスキャン受付部１０、２０、３０と、設定編集内容を保持する記憶領域をモード毎に有する画面記憶部４５と、実行部１が設定編集タスクを実行するとき、当該モードの記憶領域にアクセスし、設定編集内容を読み出し、表示する表示部４３と、実行部１が設定編集タスクを実行した後、当該モードの実処理開始指示を受け付ける開始受付部５と、を備え、各モード受付部がモードを受け付けたとき、表示部４３が、画面記憶部４５の当該モードの記憶領域にアクセスし、設定編集内容を読み出し、表示する。【選択図】      図１
2006108958.tif 000002
【特許請求の範囲】
【請求項１】
複数のモード毎に設定編集処理を行う設定編集タスク、および前記設定編集タスクで処理された設定編集内容にしたがって前記モード毎に実処理を行う実処理タスクを実行する実行手段と、
前記モードへの移行を受け付けるモード受付手段と、
前記設定編集内容を保持する記憶領域を前記モード毎に有する記憶手段と、
前記実行手段が前記設定編集タスクを実行するとき、実行する前記モードの前記記憶領域にアクセスし、前記設定編集内容を読み出し、表示する表示手段と、
前記実行手段が前記モードの前記設定編集タスクを実行した後、当該モードの実処理開始指示を受け付ける開始受付手段と、
を備え、
前記モード受付手段がモードを受け付けたとき、前記表示手段が、前記記憶手段の当該モードの前記記憶領域にアクセスし、前記設定編集内容を読み出し、表示し、
前記開始受付手段が前記実処理開始指示を受け付けたとき、前記実行手段が、前記モードの前記設定編集内容にしたがって前記モードの前記実処理タスクを実行することを特徴とする複合通信装置。
【請求項２】
請求項１に記載の複合通信装置において、
前記モードは、コピー処理を行うコピーモード、ファックス送信処理を行うファックスモード、およびスキャン処理を行うスキャンモードを含むことを特徴とする複合通信装置。
【請求項３】
請求項１または２に記載の複合通信装置において、
前記記憶手段の前記複数の記憶領域は、複数のＶＲＡＭであることを特徴とする複合通信装置。
【発明の詳細な説明】
【技術分野】
【０００１】
本発明は、複合通信装置に関し、特に、複数の機能を有する複合機に関する。
【背景技術】
【０００２】
従来の複合機としては、たとえば特許文献１に記載されたものがある。同文献に記載された装置は、原稿の複写処理中に、割り込み処理を効率よく行うことができる画像出力装置が開示されている。この従来技術は、複写機の割込機能を使用したときの、中断時間の短縮や、原稿の再セット、モード解除方法が改善されたものである。
【特許文献１】特開２００１−１１９５２２号公報
【発明の開示】
【発明が解決しようとする課題】
【０００３】
一方、コピー、ファックス、スキャナなどの複数の機能のモードを有する従来の複合機にあっては、ファックス送信モード時、宛先の編集中にコピーなどを他のユーザが行おうとした場合、編集中の画面はモードが切り替わると消えてしまい、再度入力しなければならず、不便であった。
【０００４】
本発明は上記事情に鑑みてなされたものであり、その目的とするところは、複数の機能モードを効率よく切り替えられる使い勝手の良い複合通信装置を提供することにある。
【課題を解決するための手段】
【０００５】
本発明によれば、複数のモード毎に設定編集処理を行う設定編集タスク、および前記設定編集タスクで処理された設定編集内容にしたがって前記モード毎に実処理を行う実処理タスクを実行する実行手段と、前記モードへの移行を受け付けるモード受付手段と、前記設定編集内容を保持する記憶領域を前記モード毎に有する記憶手段と、前記実行手段が前記設定編集タスクを実行するとき、実行する前記モードの前記記憶領域にアクセスし、前記設定編集内容を読み出し、表示する表示手段と、前記実行手段が前記モードの前記設定編集タスクを実行した後、当該モードの実処理開始指示を受け付ける開始受付手段と、を備え、前記モード受付手段がモードを受け付けたとき、前記表示手段が、前記記憶手段の当該モードの前記記憶領域にアクセスし、前記設定編集内容を読み出し、表示し、前記開始受付手段が前記実処理開始指示を受け付けたとき、前記実行手段が、前記モードの前記設定編集内容にしたがって前記モードの前記実処理タスクを実行することを特徴とする複合通信装置が提供される。
【０００６】
ここで、モードとは、たとえば、コピー処理を行うコピーモード、ファックス送信処理を行うファックスモード、およびスキャン処理を行うスキャンモードである。
【０００７】
コピーモード時、設定編集タスクでは、コピーサイズや色、濃淡、精細指定、写真指定、枚数、拡大縮小指定などの設定を行う。ファックス送信モード時、設定編集タスクでは、ファックス送信宛先、用紙サイズ、色、濃淡、精細指定、写真指定などの設定を行う。さらにインターネットファックス送信モードの場合、設定編集タスクでは、件名や本文入力編集を行う。スキャンモード時、設定編集タスクでは、読取領域指定、色、解像度、濃淡、精細指定、写真指定、保存ファイル形式などの設定を行う。
【０００８】
設定編集タスクでの設定や編集が終了し、各モードの実処理開始の指示を受け付けると、モード毎に設定編集タスクで設定編集された内容にしたがって実処理タスクが実行される。コピーモード時は、原稿を読み取り、複写し、必要に応じてソートして出力する。ファックスモード時は、原稿を読み取り、宛先にＧ３ファックス送信したり、あるいは電子メールの添付ファイルとして指定された宛先にインターネットファックス送信したりする。スキャンモード時は、原稿を読み取り、指定されたフォルダに転送したり、あるいは電子メールの添付ファイルとして指定された宛先にＳｃａｎ−ｔｏ−Ｅｍａｉｌ送信したりする。
【０００９】
この発明によれば、複数の機能モードを効率よく切り替えられる、たとえば、ファックス送信の宛先編集中に、他のユーザがコピーを行うことができ、編集途中の件名や本文もそのまま保持され、コピー後に復帰させて、編集を続行することができる使い勝手のよい複合通信装置が提供される。
【００１０】
上記複合通信装置において、前記記憶手段の前記複数の記憶領域は、複数のＶＲＡＭとすることができる。この構成によれば、複数のＶＲＡＭをモード毎に準備し、モード切替時に該当するＶＲＡＭから読み出して表示するだけで、モードを復帰することができる。
【発明の効果】
【００１１】
本発明によれば、複数の機能モードを効率よく切り替えられる使い勝手の良い複合通信装置が提供される。
【発明を実施するための最良の形態】
【００１２】
以下、本発明の実施の形態について、図面を用いて説明する。なお、すべての図面において、同様な構成要素には同様の符号を付し、適宜説明を省略する。
【００１３】
図１は、本発明の実施の形態に係る複合通信装置の概略機能ブロック図である。本実施の形態の複合通信装置は、コピー、ファックス、およびスキャナ機能を有する複合機であり、それぞれコピーモード、ファックスモード、およびスキャナモードの３つの異なるモードで動作する。
【００１４】
なお、以下の図において、本発明の本質に関わらない部分の構成については省略してあり、たとえば、複合通信装置の構成である公衆回線網通信部、ネットワーク通信部、画像処理部、記録部、給排紙部、ソート部などは図示されていない。
【００１５】
また、複合通信装置の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００１６】
複合通信装置は、実行部１と、モード切替部３と、開始受付部５と、コピー受付部１０と、ファックス受付部（図中、「Ｆａｘ受付部」と示す）２０と、スキャン受付部３０と、表示部４３と、画面記憶部４５と、表示制御部４７と、を備えている。
【００１７】
複合通信装置は、図２に示す操作パネル５０を有する。操作パネル５０は、コピーボタン５１と、ファックスボタン５２と、スキャンボタン５３と、スタートボタン５４と、液晶タッチパネル表示部５６と、を含む。コピーボタン５１、ファックスボタン５２、スキャンボタン５３、およびスタートボタン５４は、ハードスイッチである。
【００１８】
以下、図１と図２を用いて説明する。コピー受付部１０は、コピーボタン５１をユーザが押下したとき、コピーモードへの移行指示として受け付ける。ファックス受付部２０は、ファックスボタン５２をユーザが押下したとき、ファックスモードへの移行指示として受け付ける。スキャン受付部３０は、スキャンボタン５３をユーザが押下したとき、スキャンモードへの移行指示として受け付ける。
【００１９】
モード切替部３は、コピー受付部１０、ファックス受付部２０、およびスキャン受付部３０が受け付けたモード移行指示に呼応して、モードを切り替え、そのモードの設定編集タスクを実行部１に実行させる。
【００２０】
開始受付部５は、スタートボタン５４をユーザが押下したとき、各モード時の実処理、すなわち、コピー、ファックス送信、およびスキャンの開始指示として受け付ける。
【００２１】
実行部１は、設定操作受付部１１と、設定部１３と、コピー部１７と、設定編集操作受付部２１と、設定編集部２３と、ファックス部（図中、「Ｆａｘ部」と示す）２７と、設定操作受付部３１と、設定部３３と、スキャン部３７と、を含む。
【００２２】
設定操作受付部１１、設定編集操作受付部２１、および設定操作受付部３１は、それぞれコピーモード、ファックスモード、およびスキャンモード時に、コピー設定操作、ファックス設定および編集操作、およびスキャン設定操作をそれぞれ受け付ける。
【００２３】
設定部１３、設定編集部２３、および設定部３３は、設定操作受付部１１、設定編集操作受付部２１、および設定操作受付部３１でそれぞれ受け付けた操作にしたがって、各種設定および編集処理を行う。たとえば、設定部１３は、コピーモード時に、設定操作受付部１１で受け付けたコピーサイズや色、濃淡、精細指定、写真指定、枚数、拡大縮小指定などの設定の設定処理を行う。
【００２４】
設定編集部２３は、Ｇ３ファクス送信モード時に、設定編集操作受付部２１で受け付けたファックス送信宛先、用紙サイズ、色、濃淡、精細指定、写真指定などの設定の設定処理を行う。あるいは、設定編集部２３は、インターネットファックス送信モード時に、設定編集操作受付部２１で受け付けた用紙サイズ、色、濃淡、精細指定、写真指定などの設定の設定処理と、件名や本文入力編集処理を行う。
【００２５】
設定部３３は、スキャンモード時に、設定操作受付部３１で受け付けた読取領域指定、色、解像度、濃淡、精細指定、写真指定、保存ファイル形式などの設定処理を行う。
【００２６】
コピー部１７は、設定部１３が処理した設定内容に従ったコピー処理を行う。ファックス部２７は、設定編集部２３が処理した設定編集内容に従ったファックス送信処理を行う。スキャン部３７は、設定部３３が処理した設定内容に従ったスキャン処理を行う。
【００２７】
表示部４３は、動作中のモードの設定編集内容などを表示する。たとえば、表示部４３は、図２の液晶タッチパネル表示部５６に動作中のモードの設定編集内容を表示させる。画面記憶部４５は、モードと同じ数のＶＲＡＭであり、各モード毎に、図２の液晶タッチパネル表示部５６の画面に表示される設定編集内容を記憶する。
【００２８】
表示制御部４７は、モード切替部３がコピー受付部１０、ファックス受付部２０、およびスキャン受付部３０からモード移行指示を受け付け、モードを移行したとき、画面記憶部４５にアクセスし、移行したモードのＶＲＡＭに記憶されている画面表示を読み出し、表示部４３、すなわち図２の液晶タッチパネル表示部５６に表示する。
【００２９】
このように構成された複合通信装置の動作について以下に説明する。図３は、本実施の形態の複合通信装置の動作の一例を示すフローチャートである。ここでは、ユーザＡがインターネットファックス送信モードで件名などの編集作業中に、別のユーザＢが割り込みでコピーをする場合を例として説明する。図４は、本実施の形態の複合通信装置におけるモード切替時のタイムチャートである。ここでは、図１乃至図４を参照する。
【００３０】
図４に示すように、はじめユーザＡが時間Ｔ１において、ファックスボタン５２を押下し、ファックス受付部２０がファックスモードを受け付け（Ｓ１１のＹＥＳ）、モード切替部３がモードをファックスモードに切り替える。つづいて表示制御部４７が、画面記憶部４５にアクセスし、ファックスモードのＶＲＡＭから設定編集内容を読み出し、図２の液晶タッチパネル表示部５６の画面に表示する（Ｓ１３）。そして、実行部１がファックスモードの設定編集タスクを実行する（Ｓ１５）。ファックスモードの設定編集タスクでは、設定編集操作受付部２１が設定操作を受け付け、設定編集部２３が設定処理を行う。
【００３１】
その後、ステップＳ１１に戻り、各モードの開始操作の受け付けを監視する（Ｓ１１）。モード開始操作が受け付けられない場合（Ｓ１１のＮＯ）、開始受付部５がスタートボタン５４の押下による開始指示の受け付けを監視する（Ｓ２１）。開始指示が受け付けられない場合（Ｓ２１のＮＯ）、ステップＳ１１に戻る。
【００３２】
ユーザＡによるファックスモードの設定編集操作中に、時間Ｔ２においてユーザＢが、コピーボタン５１を押下したとき、以下のようにしてモード切替処理が行われる。
【００３３】
まず、時間Ｔ２でコピーボタン５１をユーザＢが押下したとき、コピー受付部１０がコピーモードを受け付け（Ｓ１１のＹＥＳ）、モード切替部３がモードをコピーモードに切り替える。
【００３４】
そして、表示制御部４７が、画面記憶部４５にアクセスし、新たに切り替わったコピーモードのＶＲＡＭから設定編集内容を読み出し、図２の液晶タッチパネル表示部５６の画面に表示する（Ｓ１３）。切り替える前に液晶タッチパネル表示部５６の画面に表示されていたファックスモードのＶＲＡＭの情報は、そのままファックスモードのＶＲＡＭの保持され、実質上、ファックスモードは待機中となる。そして、実行部１がコピーモードの設定編集タスクを実行する（Ｓ１５）。コピーモードの設定編集タスクでは、設定操作受付部１１が設定操作を受け付け、設定部１３が設定処理を行う。
【００３５】
そして、ステップＳ１１に戻り、コピー受付部１０、ファックス受付部２０、およびスキャン受付部３０が、各モードの開始操作の受け付けを監視し（Ｓ１１）、開始受付部５がスタートボタン５４の押下による開始指示の受け付けを監視する（Ｓ２１）。
【００３６】
ここで、ユーザＢがコピーモードにおける設定操作が終了し、時間Ｔ３でスタートボタン５４を押下したとき、開始受付部５がコピーモードの実処理開始の指示を受け付けると（Ｓ２１のＹＥＳ）、実行部１がコピーモードの実処理タスクを実行する（Ｓ２３）。コピーモードの実処理タスクでは、コピー部１７が、設定部１３により設定された設定内容に従ったコピー処理を行う。すなわち、実際に原稿が読み取られ複写が開始する。
【００３７】
そして、ステップＳ１１に戻り、コピー受付部１０、ファックス受付部２０、およびスキャン受付部３０が、各モードの開始操作の受け付けを監視し（Ｓ１１）、開始受付部５がスタートボタン５４の押下による開始指示の受け付けを監視する（Ｓ２１）。
【００３８】
その後、ユーザＡが時間Ｔ４において、ファックスボタン５２を押下し、ファックス受付部２０がファックスモードを受け付け（Ｓ１１のＹＥＳ）、モード切替部３がファックスモードに切り替える。つづいて、表示制御部４７が、画面記憶部４５にアクセスし、新たに切り替わったファックスモードのＶＲＡＭから設定編集内容を読み出し、図２の液晶タッチパネル表示部５６の画面に表示する（Ｓ１３）。ここでは、ファックスモードが待機する時にＶＲＡＭに記憶されていた設定編集内容が表示され、待機前に途中まで設定編集されていた内容の続きで操作を行うことができる。
【００３９】
そして、ステップＳ１１に戻り、コピー受付部１０、ファックス受付部２０、およびスキャン受付部３０が、各モードの開始操作の受け付けを監視し（Ｓ１１）、開始受付部５がスタートボタン５４の押下による開始指示の受け付けを監視する（Ｓ２１）。
【００４０】
その後、ユーザＡのファックスモードにおける設定編集操作が終了し、時間Ｔ５でスタートボタン５４を押下したとき、開始受付部５がファックスモードの実処理開始の指示を受け付けると（Ｓ２１のＹＥＳ）、実行部１がファックスモードの実処理タスクを実行する（Ｓ２３）。ファックスモードの実処理タスクでは、ファックス部２７が、設定編集部２３により設定された設定内容に従ったファックス処理を行う。たとえば、原稿が読み取られ、電子メールに添付されて、インターネットファックス送信される。
【００４１】
以上説明したように、本実施の形態の複合通信装置によれば、ファックス送信の宛先編集中に、他のユーザがコピーを行うことができ、かつ、編集途中の件名や本文もそのまま保持され、コピー後に復帰させて、編集を続行することができ、使い勝手がよい。
（第二の実施の形態）
図５は、本発明の実施の形態に係る複合通信装置の要部構成を示す概略ブロック図である。実行部１は、コピーオペレーションタスク６１と、ファックスオペレーションタスク６５と、スキャナオペレーションタスク６９と、を含む。また画面記憶部４５は、コピー用ＶＲＡＭ６３と、ファックス用ＶＲＡＭ６７と、スキャナ用ＶＲＡＭ７１と、を含む。
【００４２】
コピーオペレーションタスク６１は、コピーモード時の実行部１の設定操作受付部１１および設定部１３の機能を実現するタスクであり、モード切替部３から発行されたイベントで起動する。コピー用ＶＲＡＭ６３は、コピーオペレーションタスク６１で作業中の画面の内容を記憶する。なお、コピー部１７の機能は、図示されないコピー実処理タスク、たとえば、スキャンタスクおよびプリントタスクなどにより実現される。これらのタスクも実行部１により実行される。
【００４３】
ファックスオペレーションタスク６５は、ファックスモード時の実行部１の設定編集操作受付部２１および設定編集部２３の機能を実現するタスクであり、モード切替部３から発行されたイベントで起動する。ファックス用ＶＲＡＭ６７は、ファックスオペレーションタスク６５で作業中の画面の内容を記憶する。なお、ファックス部２７の機能は、ファックス実処理タスク、たとえば、スキャンタスクおよび通信タスクなどにより実現される。これらのタスクも実行部１により実行される。
【００４４】
スキャナオペレーションタスク６９は、スキャナモード時の実行部１の設定操作受付部３１および設定部３３の機能を実現するタスクであり、モード切替部３から発行されたイベントで起動する。スキャナ用ＶＲＡＭ７１は、スキャナオペレーションタスク６９で作業中の画面の内容を記憶する。なお、スキャン部３７の機能は、スキャン実処理タスク、たとえば、スキャンタスクなどにより実現される。これらのタスクも実行部１により実行される。
【００４５】
本実施の形態において、コピー用ＶＲＡＭ６３、ファックス用ＶＲＡＭ６７およびスキャナ用ＶＲＡＭ７１の複数のＶＲＡＭを設けたことにより、モード切替時にはＶＲＡＭを切り替えて表示するだけで、簡単に設定編集内容を復帰させることが可能となる。
【００４６】
図６は、本実施の形態の複合通信装置のモード切替処理の一例を示すフローチャートである。以下、図１、図５および図６を参照して説明する。
【００４７】
まず、コピー受付部１０、ファックス受付部２０、またはスキャン受付部３０がコピーボタン５１、ファックスボタン５２、またはスキャンボタン５３を受け付ける（Ｓ３１）。モード切替部３は、現在のモードから新たに受け付けたモードに変更があるか否か、すなわちモード切替か否かを判定する（Ｓ３２）。モード切替部３がモード切替ではないと判定した場合（Ｓ３２のＮＯ）、さらにモード切替部３は、現在のモードを判定する（Ｓ３３、Ｓ３５、Ｓ３７）。モード切替部３が、現在のモードはコピーモードであると判定すると（Ｓ３３のＹＥＳ）、モード切替部３はコピーオペレーションタスク６１に対してイベントを発行する（Ｓ３４）。
【００４８】
モード切替部３が、現在のモードはコピーモードではないと判定し（Ｓ３３のＮＯ）、かつ、現在のモードはファックスモードであると判定すると（Ｓ３５のＹＥＳ）、モード切替部３はファックスオペレーションタスク６５に対してイベントを発行する（Ｓ３６）。
【００４９】
さらに、モード切替部３が、現在のモードはファックスモードではないと判定し（Ｓ３５のＮＯ）、かつ、現在のモードがスキャナモードであると判定すると（Ｓ３７のＹＥＳ）、モード切替部３はスキャナオペレーションタスク６９に対してイベントを発行する（Ｓ３９）。
【００５０】
一方、モード切替部３がモード切替であると判定した場合（Ｓ３２のＹＥＳ）、いずれのモードに切り替える要求かによって以下の処理が行われる。
【００５１】
コピー受付部１０がモード移行指示を受け付けたとき（Ｓ４１のＹＥＳ）、モード切替部３は、現在のモードを判定する（Ｓ４２、Ｓ４４）。モード切替部３が、現在のモードはファックスモードであると判定すると（Ｓ４２のＹＥＳ）、表示制御部４７がファックス用ＶＲＡＭ６７にからコピー用ＶＲＡＭ６３に表示を切り替える（Ｓ４３）。モード切替部３が、現在のモードはスキャナモードであると判定すると（Ｓ４４のＹＥＳ）、表示制御部４７がスキャナ用ＶＲＡＭ７１からコピー用ＶＲＡＭ６３に表示を切り替える（Ｓ４５）。
【００５２】
また、ファックス受付部２０がモード移行指示を受け付けたとき（Ｓ５１のＹＥＳ）、モード切替部３は、現在のモードを判定する（Ｓ５２、Ｓ５４）。モード切替部３が、現在のモードはコピーモードであると判定すると（Ｓ５２のＹＥＳ）、表示制御部４７がコピー用ＶＲＡＭ６３からファックス用ＶＲＡＭ６７に表示を切り替える（Ｓ５３）。モード切替部３が、現在のモードはスキャナモードであると判定すると（Ｓ５４のＹＥＳ）、表示制御部４７がスキャナ用ＶＲＡＭ７１からファックス用ＶＲＡＭ６７に表示を切り替える（Ｓ５５）。
【００５３】
また、スキャン受付部３０がモード移行指示を受け付けたとき（Ｓ６１のＹＥＳ）、モード切替部３は、現在のモードを判定する（Ｓ６２、Ｓ６４）。モード切替部３が、現在のモードはコピーモードであると判定すると（Ｓ６２のＹＥＳ）、表示制御部４７がコピー用ＶＲＡＭ６３からスキャナ用ＶＲＡＭ７１に表示を切り替える（Ｓ６３）。モード切替部３が、現在のモードはファックスモードであると判定すると（Ｓ６４のＹＥＳ）、表示制御部４７がファックス用ＶＲＡＭ６７からスキャナ用ＶＲＡＭ７１に表示を切り替える（Ｓ６５）。
【００５４】
以上説明したように、本実施の形態の複合通信装置によれば、複数のＶＲＡＭをモード毎に準備し、モード切替時に該当するＶＲＡＭから読み出して表示するだけで、モードを復帰することができる。
【００５５】
以上、図面を参照して本発明の実施形態について述べたが、これらは本発明の例示であり、上記以外の様々な構成を採用することもできる。
【図面の簡単な説明】
【００５６】
【図１】本発明の実施の形態に係る複合通信装置の概略機能ブロック図である。
【図２】図１の複合通信装置の操作パネルの正面図である。
【図３】図１の複合通信装置の動作の一例を示すフローチャートである。
【図４】図１の複合通信装置におけるモード切替時のタイムチャートである。
【図５】本発明の実施の形態に係る複合通信装置の要部構成を示す概略ブロック図である。
【図６】図５の複合通信装置のモード切替部の処理の一例を示すフローチャートである。
【符号の説明】
【００５７】
１  実行部
３  モード切替部
５  開始受付部
１０  コピー受付部
１１  設定操作受付部
１３  設定部
１７  コピー部
２０  ファックス受付部
２１  設定編集操作受付部
２３  設定編集部
２７  ファックス部
３０  スキャン受付部
３１  設定操作受付部
３３  設定部
３７  スキャン部
４３  表示部
４５  画面記憶部
４７  表示制御部
５０  操作パネル
５１  コピーボタン
５２  ファックスボタン
５３  スキャンボタン
５４  スタートボタン
５６  液晶タッチパネル表示部
６１  コピーオペレーションタスク
６３  コピー用ＶＲＡＭ
６５  ファックスオペレーションタスク
６７  ファックス用ＶＲＡＭ
６９  スキャナオペレーションタスク
７１  スキャナ用ＶＲＡＭ
【図１】
2006108958.tif 000003
【図２】
2006108958.tif 000004
【図３】
2006108958.tif 000005
【図４】
2006108958.tif 000006
【図５】
2006108958.tif 000007
【図６】
2006108958.tif 000008